(57)【要約】【課題】天然石を用いたヒーリングをより効果的に行えるようにする方法の提供。【解決手段】台座１１の上にグロッシュラー２１とルビー２２と青色サファイア２３と黄色サファイア２４と薄紫色サファイア２５と薄青色サファイア２６とジルコン２７とキャッツアイ２８と真珠２９とを設置し、これを身体に接近させまた密着させることで心身を癒す。【選択図】図１
2007203011.tif 000002
【特許請求の範囲】
【請求項１】
グロッシュラーとルビーと青色サファイアと黄色サファイアと薄紫色サファイアと薄青色サファイアとジルコンとキャッツアイと真珠とを同時に身体に接近させまた密着させて心身を癒すヒーリング方法。
【請求項２】
２種以上の天然石を身体に同時に接近させまた密着させて心身を癒すヒーリング方法。
【請求項３】
グロッシュラーとルビーと青色サファイアと黄色サファイアと薄紫色サファイアと薄青色サファイアとジルコンとキャッツアイと真珠とを通過した光を同時に身体にあて心身を癒すヒーリング方法。
【請求項４】
２種以上の天然石を通過した光を同時に身体にあて心身を癒すヒーリング方法。
【発明の詳細な説明】
【技術分野】
【０００１】  本発明は、天然石を使用したヒーリングをより効果的に行えるようにする方法の提供に関するものである。
【背景技術】
【０００２】  従来、一部の天然石にはヒーリング効果があるとされてきた。そして数種の中から目的にあわせて天然石を選択しこれを身体に密着させることでヒーリングを行っていた。
【非特許文献１】アン・ヒル編著  「図説新・人間医学百科」エンタプライズ１９８１年
【発明の開示】
【発明が解決しようとする課題】
【０００３】  しかし、天然石を使用したヒーリングでは、目的に合った石を選択する作業とこれを身体に密着させる作業とを交互に複数回繰り返すのが普通であり簡単ではなかった。
本発明は、以上のような従来の問題を克服し、常に特定の天然石を組み合わせて使用することにより、ヒーリングをより効果的に行えるようにする。
【課題を解決するための手段】
【０００４】  請求項１記載の発明は、グロッシュラーとルビーと青色サファイアと黄色サファイアと薄紫色サファイアと薄青色サファイアとジルコンとキャッツアイと真珠とを同時に身体に接近させまた密着させて心身を癒すヒーリング方法である。【０００５】  請求項２記載の発明は、２種以上の天然石を身体に同時に接近させまた密着させて心身を癒すヒーリング方法である。【０００６】  請求項３記載の発明は、グロッシュラーとルビーと青色サファイアと黄色サファイアと薄紫色サファイアと薄青色サファイアとジルコンとキャッツアイと真珠とを通過した光を同時に身体にあて心身を癒すヒーリング方法である。【０００７】  請求項４記載の発明は、２種以上の天然石を通過した光を同時に身体にあて心身を癒すヒーリング方法である。
【発明の効果】
【０００８】  本発明は、常に特定の天然石を組み合わせて使用することにより、目的に合った石を選択する作業とこれを身体に密着させる作業とを交互に複数回繰り返すことなく、一回の作業でより効果的なヒーリングを行えるようにする。
【発明を実施するための最良の形態】
【０００９】  以下、本発明の一実施例を図１に従って説明する。
【実施例】
【００１０】  台座１１に、グロッシュラー２１、ルビー２２、青色サファイア２３、黄色サファイア２４、薄紫色サファイア２５、薄青色サファイア２６、ジルコン２７、キャッツアイ２８、真珠２９を設置する。【００１１】  グロッシュラーとルビーと青色サファイアと黄色サファイアと薄紫色サファイアと薄青色サファイアとジルコンとキャッツアイと真珠とを組み合わせて使用することにより大きなヒーリング効果を発揮する。【００１２】  台座１１に、グロッシュラー２１、ルビー２２、青色サファイア２３、黄色サファイア２４、薄紫色サファイア２５、薄青色サファイア２６、ジルコン２７、キャッツアイ２８、真珠２９のうち２つ以上の石を設置してもよい。【００１３】  グロッシュラー２１はカルシウムとアルミニウムを主成分とするガーネットなどのことである。【００１４】  ルビー２２はアルミニウムと酸素で構成されているコランダムなどのことである。【００１５】  青色サファイア２３、黄色サファイア２４、薄紫色サファイア２５、薄青色サファイア２６はアルミニウムと酸素で構成されているコランダムなどのことである。【００１６】  ジルコン２７はジルコニウムを主要元素に持つケイ酸塩鉱物などのことである。【００１７】  キャッツアイ２８は、クリソベリル・キャッツアイであってよく、猫目効果（シャトヤンシー）を示すクリソベリルなどであってよく、猫目効果（キャッツアイ効果）とは石内部で反射された光が石の外部に集まって線条（白い光の帯）が出現する効果などである。【００１８】  真珠２９（パール）とは、生きた真珠貝の中で球状または半球状などに形成される代謝生産物であって、その外見しえる部分のおもな構成物質が真珠貝の真珠層と等質であるものなどである。【００１９】  台座１１には、アクアマリン、アゲート、アズライト、アベンチュリン、アベンチュリン・クォーツ、アマゾナイト、アメシスト、アメジスト、アメジスト・クォーツ、アレキサンドライト、アンバー、アンモライト、インカローズ、インド翡翠、エメラルド、オニキス、オパール、オーロラライト、ガーデン水晶、ガーネット、カーネリアン、カルサイト、かんらん石、キャッツアイ、クォーツ、クリソコーラ、クリスタルクォーツ、グロッシュラー、ゴメーダ、コーライト、コーラル、ざくろ石、サファイア、サンストーン、サードオニキス、サードニックス、ジェイド、シトリン、シトリン・クォーツ、しまめのう、ジルコン、ジャスパー、ショール、スギライト、スペクトロライト、スモーキー・クォーツ、セレナイト、ソーダライト、ダイヤモンド、タイガーズアイ、タンザナイト、ターコイズ、デザートローズ、トパーズ、トルコ石、トルマリン、パイライト、バッファローストーン、バラ輝石、ハーキマー・ダイヤモンド、パープライト、パール、ヒスイ、ファントム水晶、ブラック・トルマリン、ブラッドストーン、ペリドット、ブルーレース・アゲイト、フローライト、ヘマタイト、ペリドット、マラカイト、ムーンストーン、めのう、モルダバイト、ラブラドライト、ラピスラズリ、ラリマー、ラン水晶、ルチル・クォーツ、ルビー、ローズクォーツ、ロードクロサイト、ロードナイト、藍玉、藍銅鉱、紅玉、紅水晶、青メノウ、碧玉、紅玉髄、赤鉄鉱、���河石、煙水晶、黄玉、方ソーダ石、黄水晶、黄鉄鉱、金針入り水晶、蛍石、毛糸水晶、血石、血玉髄、琥珀、金剛石、砂金石、砂漠のバラ、珊瑚、真珠、水晶、杉石、孔雀石、青玉、青金石、空色しまメノウ、曹灰長石、蛋白石、庭園水晶、鉄電気石、電気石、月長石、透石膏、虎目石、菱マンガン鉱、翡翠、日長石、方解石、紫水晶、緑玉、珪孔雀石、瑠璃、そのほかの天然石を設置してもよい。【００２０】  そして、台座１１を身体に接近させまた密着させることにより、グロッシュラー２１、ルビー２２、青色サファイア２３、黄色サファイア２４、薄紫色サファイア２５、薄青色サファイア２６、ジルコン２７、キャッツアイ２８、真珠２９等を身体に接近させまた密着させる。【００２１】  グロッシュラー２１、ルビー２２、青色サファイア２３、黄色サファイア２４、薄紫色サファイア２５、薄青色サファイア２６、ジルコン２７、キャッツアイ２８、真珠２９等はそれぞれ、直径１ミリメートル程度以上であってよい。【００２２】  光がグロッシュラー２１、ルビー２２、青色サファイア２３、黄色サファイア２４、薄紫色サファイア２５、薄青色サファイア２６、ジルコン２７、キャッツアイ２８、真珠２９等を通過できるように台座１１に設置してよい。【００２３】  ００１０等記載のものを２組以上用意し、それぞれ身体に接近また密着させてもよい。
【図面の簡単な説明】
【００２４】
【図１】本発明の１実施例に関する図である。
【符号の説明】
【００２５】１１  台座
２１  グロッシュラー
２２  ルビー
２３  青色サファイア
２４  黄色サファイア
２５  薄紫色サファイア
２６  薄青色サファイア
２７  ジルコン
２８  キャッツアイ
２９  真珠
【図１】
2007203011.tif 000003